(57)【要約】【課題】  リモコン装置で使用している電池の残容量を電子装置側に送信し、該電子装置からユーザーに前記電池残容量を通知すると共に、ユーザーが前記電池残容量を確実に確認することが出来るリモコン装置を備えた電子装置を提供する。【解決手段】  リモコン装置１は検出した電池電圧を電圧検出部３で検出しリモコン用マイコン４により段階的に区分されたコード値に変換して送信し、電子装置１１には送信された前記コード値に相当する電池残容量に変換する本体用マイコン１４を設け、変換された前記電池残容量を視認可能又は音により通知する。また、前記電池残容量を検出して通知を指示するリモコン操作キー５は前記電子装置１１を使用する上で最初に押すリモコン操作キー５、または最後に押すリモコン操作キー５と兼用とした。【選択図】      図１
2006074694.tif 000002
【特許請求の範囲】
【請求項１】
電池を電源とする電源手段と、操作キーで入力された指示信号を送信して電子装置を遠隔操作する遠隔操作手段と、前記電池電圧を検出する検出手段と、検出した前記電池電圧をコード値に変換して送信する送信手段とを具備したリモコン装置を備えた電子装置において、前記送信手段は検出した前記電池電圧を段階的に区分された電圧値ごとに割当てたコード値に変換して送信すると共に、前記電子装置には送信された前記コード値を該コード値に相当する電池残容量に変換するコード値変換手段を備え、該コード値変換手段により変換された前記電池残容量を通知する電池残容量通知手段を備えたことを特徴とするリモコン装置を備えた電子装置。
【請求項２】
前記電池残容量通知手段は前記電池残容量を前記電子装置の表示部により視認可能に表示して通知することを特徴とする請求項１記載のリモコン装置を備えた電子装置。
【請求項３】
前記電池残容量通知手段は前記電池残容量を前記電子装置の動作部により音を発して通知することを特徴とする請求項１記載のリモコン装置を備えた電子装置。
【請求項４】
前記電池残容量を検知して通知を指示するリモコン操作キーは前記電子装置を使用する上で最初に押すリモコン操作キー、または最後に押すリモコン操作キーと兼用であることを特徴とする請求項１記載のリモコン装置を備えた電子装置。
【発明の詳細な説明】
【技術分野】
【０００１】
本発明は、リモコン装置で使用している電池の残容量を電子装置側に送信し、該電子装置の表示または動作によってユーザーに前記残容量を通知するための技術分野に関する。
【背景技術】
【０００２】
従来よりリモコン装置に収納された電池の残容量を電子装置側で表示する方法については、例えば次のような従来技術が提案されている。特許文献１には、定期的にリモコン装置から本体装置に信号を送信し、リモコン装置が電池切れになり定期信号を受信できなくなったときとか、リモコン装置が本体装置と離れ過ぎてしまい信号電波が届かなくなったときなど信号の送信が途絶えたときは本体装置側で異常の旨が報知されるので、ユーザーは、本体装置を起動できなくなったことを容易に知ることができるとする方法が提案されている。
【０００３】
【特許文献１】特開平７−２５０３９１号公報
【発明の開示】
【発明が解決しようとする課題】
【０００４】
特許文献１に示す前記従来技術によれば、ユーザーがリモコン装置を操作していないときでもリモコン装置から定期的に信号を送信しているので電池の消耗が早いといった問題がある。また、ユーザーが本体装置を操作していないときは、必ずしもリモコン装置が本体装置の方向に向いているとは限らないので、信号電波が届かなくなったときと同様に本体装置側で異常の旨が報知されるので、ユーザーは、本体装置を起動できなくなったと誤認してしまうといった問題がある。
【０００５】
本発明は、リモコン装置で使用している電池の残容量を数段階に区分し、区分された段階である前記電池残容量をリモコン装置が電子装置側に送信し、該電子装置側の通知手段によって電池残容量の段階を確認することを可能とすると共に、前記電池残容量を検知して通知するタイミングは電子装置を使用する上でリモコン装置を最初に操作する、または最後に操作するときに使用するリモコン装置の操作キーと兼用することにより、定期的に信号を送信することにより電池が消耗することを抑制し、電子装置を起動する若しくは停止するときに確実にユーザーに電池残容量を通知することが出来るリモコン装置を備えた電子装置を提供することを目的とする。
【課題を解決するための手段】
【０００６】
請求項１に係るリモコン装置を備えた電子装置において、電池を電源とする電源手段と、操作キーで入力された指示信号を送信して電子装置を遠隔操作する遠隔操作手段と、前記電池電圧を検出する検出手段と、検出した前記電池電圧をコード値に変換して送信する送信手段とを具備したリモコン装置を備えた電子装置において、前記送信手段は検出した前記電池電圧を段階的に区分された電圧値ごとに割当てたコード値に変換して送信すると共に、前記電子装置には送信された前記コード値を該コード値に相当する電池残容量に変換するコード値変換手段を備え、該コード値変換手段により変換された前記電池残容量を通知する電池残容量通知手段を備えたことを特徴とする。
【０００７】
請求項１の構成によれば、このリモコン装置を備えた電子装置には、電池を電源とする電源手段と、操作キーで入力された指示信号を送信して電子装置を遠隔操作する遠隔操作手段と、リモコン装置内の電池電圧を検出する検出手段と、検出した前記電池電圧をコード値に変換して送信する送信手段とを具備しており、前記送信手段は検出した前記電池電圧を段階的に区分された電圧値ごとに割当てたコード値に変換して送信することにより、検出された前記電池電圧が現在どのレベルであるかの情報をコード値として前記電子装置に送信することが出来る。また、前記電子装置には送信された前記コード値を該コード値に相当する電池残容量に変換するコード値変換手段を備え、該コード値変換手段により変換された前記電池残容量を通知する電池残容量通知手段を備えたことにより、前記リモコン装置の電池がどのレベルの電池残容量であるのかをユーザーに通知することが出来る。
【０００８】
本発明の請求項２のリモコン装置を備えた電子装置は、請求項１記載のリモコン装置を備えた電子装置において、前記電池残容量通知手段は前記電池残容量を前記電子装置の表示部により視認可能に表示して通知することを特徴とする。
【０００９】
請求項２の構成によれば、前記電池残容量通知手段は前記電池残容量を前記電子装置の表示部により視認可能に表示して通知することにより、ユーザーは前記リモコン装置の電池がどのレベルの電池残容量であるのかを文字や符号、光の点灯、或いは色彩の変化などにより認識することが出来る。
【００１０】
本発明の請求項３のリモコン装置を備えた電子装置は、請求項１記載のリモコン装置を備えた電子装置において、前記電池残容量通知手段は前記電池残容量を前記電子装置の動作部により音を発して通知することを特徴とする。
【００１１】
請求項３の構成によれば、前記電池残容量通知手段は前記電池残容量を前記電子装置の動作部により音を発して通知することにより、ユーザーは前記リモコン装置の電池がどのレベルの電池残容量であるのかを音声やメロディ、警報音などにより認識することが出来る。
【００１２】
本発明の請求項４のリモコン装置を備えた電子装置は、請求項１記載のリモコン装置を備えた電子装置において、前記電池残容量を検出して通知を指示するリモコン操作キーは前記電子装置を使用する上で最初に押すリモコン操作キー、または最後に押すリモコン操作キーと兼用であることを特徴とする。
【００１３】
請求項４の構成によれば、前記電池残容量を検知して通知を指示するリモコン操作キーは前記電子装置を使用する上で最初に押すリモコン操作キー、または最後に押すリモコン操作キーと兼用であることにより、前記電子装置から通知される表示、或いは音により前記電池残容量を確実に認識することが出来る。また、従来例のようにユーザーが本体装置を操作していないときは、必ずしもリモコンが本体装置の方向に向いているとは限らないので、送信信号が届かなくなったときと同様に本体装置側で異常の旨が報知されるので、ユーザーは、本体装置を起動できなくなったと誤認してしまうといった問題はない。
【発明の効果】
【００１４】
請求項１に係るリモコン装置を備えた電子装置の発明によれば、電池を電源とする電源手段と、操作キーで入力された指示信号を送信して電子装置を遠隔操作する遠隔操作手段と、リモコン装置内の電池電圧を検出する検出手段と、検出した前記電池電圧をコード値に変換して送信する送信手段とを具備しており、前記送信手段は検出した前記電池電圧を段階的に区分された電圧値ごとに割当てたコード値に変換して送信することにより、検出された前記電池電圧が現在どのレベルであるかの情報をコード値として前記電子装置に送信することが出来る。また、前記電子装置には送信された前記コード値を該コード値に相当する電池残容量に変換するコード値変換手段を備え、該コード値変換手段により変換された前記電池残容量を通知する電池残容量通知手段を備えたことにより、ユーザーは前記リモコン装置内の電池が現在どのレベルの電池残容量であるのかを容易に認識することが出来る。
【００１５】
請求項２に係るリモコン装置を備えた電子装置の発明によれば、前記電池残容量通知手段は前記電池残容量を前記電子装置の表示部により視認可能に表示して通知することにより、ユーザーは前記リモコン装置の電池がどのレベルの電池残容量であるのかを文字や符号、光の点灯、或いは色彩の変化などにより簡単容易に認識することが出来る。
【００１６】
請求項３に係るリモコン装置を備えた電子装置の発明によれば、前記電池残容量通知手段は前記電池残容量を前記電子装置の動作部により音を発して通知することにより、ユーザーは前記リモコン装置の電池がどのレベルの電池残容量であるのかを音声やメロディ、警報音などにより簡単容易に認識することが出来る。
【００１７】
請求項４に係るリモコン装置を備えた電子装置の発明によれば、前記電池残容量を検知して通知を指示するリモコン操作キーは前記電子装置を使用する上で最初に押すリモコン操作キー、または最後に押すリモコン操作キーと兼用であることにより、前記電子装置から通知される文字や符号、光の点灯、或いは色彩の変化などの表示内容、或いは音声やメロディ、警報音などといった音により前記電池残容量を確実に認識することが出来る。また、電池残容量を検知して通知することは前記電子装置を起動する又は停止するときなど、リモコン操作キーで指示するときだけであり、従来例のように定期的に信号を送信することによる無駄な電池消耗を抑制し、電池寿命を延ばすことが出来る。
【発明を実施するための最良の形態】
【００１８】
以下、本発明を実施するための最良の形態としての実施例を図１〜図１１により以下に説明する。図１から図５は本発明における第一実施例を示すテレビ用リモコン装置に関する説明図である。図６から図８は本発明における第二実施例を示す自動車用リモコン装置に関する説明図である。図９から図１１は本発明における第三実施例を示す照明器具用リモコン装置に関する説明図である。もちろん、本発明は、その発明の趣旨に反さない範囲で、実施例において説明した以外のものに対しても容易に適用可能なことは説明を要するまでもない。
【実施例１】
【００１９】
まず、図１により第一実施例であるテレビ用のリモコン装置１とテレビ１１の内部構成をブロック図により説明する。前記リモコン装置１には１．５ｖの電池２が２本直列に接続されて収納され３ｖの電源を構成している。また、前記電池２の電圧を検出する電圧検出部３と、検出した前記電圧を段階的に区分された電圧値ごとに割り当てたコード値に変換するリモコン用マイコン（Ｍｉｃｒｏｃｏｍｐｕｔｅｒ）４と、前記テレビ１１を遠隔操作するためのリモコン操作キーを配置した操作部５と、前記変換されたコード値をテレビ１１に送信する送信部６とを備えており、前記テレビ１１には前記送信部６から送信されたコード値の信号を受信する受信部１３と、受信したコード値に相当する電池残容量の情報に変換する本体用マイコン１４と、前記電池残容量情報を表示画面上にオーバーラップさせて表示するための処理を行うＯＳＤ（Ｏｎ  Ｓｃｒｅｅｎ  Ｄｉｓｐｌａｙ）制御部１５と、表示画面上の画像と前記コード値から電池残容量情報に変換された情報を他の表示画面と合成するクロマ（ＣＨＲＯＭＡ−ＫＥＹ）ＩＣと、前記電池残容量を表示するＣＲＴ（Ｃａｔｈｏｄｅ−Ｒａｙ  Ｔｕｂｅ  Ｄｉｓｐｌａｙ）やＬＣＤ（Ｌｉｑｉｄ  Ｃｒｙｓｔａｌ  Ｄｉｓｐｌａｙ）による表示部１７と、これらを含むテレビ１１内部の全てに電源を供給する電源回路部１２とで構成されている。
【００２０】
ここで、前記リモコン装置１の電池電圧を検出する電圧検出部３について説明する。このテレビ用のリモコン装置１は１．５ｖの電池を直列に２本接続して３ｖの電源としている。また、電圧の検出はリモコン装置１により、ユーザーがこれからテレビ１１を視聴しようとしてリモコン装置操作部５の図示しないＰＯＷＥＲキーを押下したとき、及びテレビの視聴を止めようと前記ＰＯＷＥＲキーを押下したときに電池電圧を検出してテレビ１１の表示部１７により残容量を通知するように設定してある。また、本発明ではリモコン用マイコン４の図示しないＡＤ端子によってアナログ電圧をデジタル電圧に変換し基準電圧に対する入力電圧を検出しているが、これとは別に図示しない電圧検出ＩＣにより検出する、又は図示しない電圧検出回路を別に設けて検出するなどの方法も可能である。
【００２１】
次に前記検出した電池電圧を段階的に区分された電圧値ごとに割り当てたコード値に変換する動作について説明する。リモコン用マイコン４内部には図示しないリセットＩＣ回路が配置されてあり、図示しない前記ＰＯＷＥＲキーを押下することで電圧の検出を開始し、リモコン用マイコン４が正常に動作するまでの電圧、即ち前記リセットＩＣによりリモコン用マイコン４がリセットするまでの電圧範囲を数分割し、その値を前記段階的に区分された電圧値ごとに、１キーに対してＫＥＹ  ＣＯＤＥを別々にアサイン（Ａｓｓｉｇｎ）する、つまり１キーに対して複数のＫＥＹ  ＣＯＤＥをアサインする構成としている。
【００２２】
具体的には、図２に示すように、このリモコン装置１にはリモコン操作キー５のＫＥＹ  ＣＯＤＥとＫＥＹ  ＮＡＭＥが割り当てられている。ここでＫＥＹ  ＮＡＭＥの「ＰＯＷＥＲ」について説明すると、該「ＰＯＷＥＲ」は前記リモコン操作キー５のＰＯＷＥＲキーに対応しており、前述の通りＰＯＷＥＲキーの１キーに対してＫＥＹ  ＣＯＤＥの０１から０５と複数のＫＥＹ  ＣＯＤＥがアサインされている。このＫＥＹ  ＣＯＤＥの０１から０５が前記段階的に区分された電圧値ごとに対応するように構成している。さらに前記ＰＯＷＥＲキーは、これを押下することで前記テレビを起動する、或いは停止するための指示を行うリモコン操作キー５を兼ねている。
【００２３】
続いて、図３により、前記ＫＥＹ  ＣＯＤＥの０１から０５が前記段階的に区分された電池の電圧値ごとに対応する内容と、電池残容量としてテレビ１１の表示部１７により表示して通知する方法について説明する。まず、前記ＫＥＹ  ＣＯＤＥの０１から０５には、各々前記電池の電圧レベルにより「ＦＵＬＬ  ＣＨＡＲＧＥ」，「４／５ＣＨＡＲＧＥ」，「３／５ＣＨＡＲＧＥ」，「２／５ＣＨＡＲＧＥ」，「１／５ＣＨＡＲＧＥ」と段階的に区分され、前記リモコン装置１に供給されて前記電圧検出部３である前記リモコン用マイコン４の前記アナログ端子とデジタル端子で検出した電池電圧は前記区分された「ＦＵＬＬ  ＣＨＡＲＧＥ」は３．０ｖ以上で表示画面には「ＦＵＬＬ」と、「４／５ＣＨＡＲＧＥ」は３．０ｖ未満で２．８ｖ以上で「４／５」と表示され、「３／５ＣＨＡＲＧＥ」は２．８ｖ未満で２．６ｖ以上で「３／５」であり、「２／５ＣＨＡＲＧＥ」は２．６ｖ未満２．４ｖ以上で「２／５」、「１／５ＣＨＡＲＧＥ」は２．４ｖ未満２．２ｖで「１／５」と表示される。２．２ｖ未満においては前記リモコン装置１の電池残容量通知手段は動作しない。
【００２４】
次に、リモコン操作キー５の押下時におけるリモコン装置の動作フローを図４により説明する。Ｒ００１によりＰＯＷＥＲキーを押下すると、前記リモコン用マイコン４はＲ００２により「ＰＯＷＥＲキー押下」の確認を行い、Ｎｏであれば次の動作には進まない。Ｙｅｓの時は前記電圧検出部３が検出を開始すると共にマイコンが正常に動作するまでの電圧範囲を検出する。次にＲ００３により電源電圧の判定を行う。電池電圧が２．７ｖであればＲ００４によりＫＥＹ  ＣＯＤＥは「０３ｈ」であり、ＲＯＯ９によりＫＥＹ  ＣＯＤＥの「０３ｈ」を相手側の電子装置であるテレビ１１に送信してＲ０１０により動作は終了する。
【００２５】
続いて図５によりテレビ１１側の動作フローについて説明する。Ｔ００１によりユーザーが前記リモコン操作キー５を押下してテレビ１１の電源をＯＮとする指示を行うと、前記リモコン装置から電源ＯＮの指示を受診したテレビ１１はＴ００２により受信映像の放映を開始する。続いて、Ｔ００３により前記リモコン装置１から送信された電池電圧に相当するＫＥＹ  ＣＯＤＥの「０３ｈ」は、前記受信部１３から本体用マイコン１４に送られて、前記電池電圧に相当するＫＥＹ  ＣＯＤＥを段階的に切り換えるプログラムにより前記本体用マイコン１４で「０３ｈ」と判定されると、Ｔ００４により図３に示す表示例に基づき「３／５」と表示をする旨を前記本体用マイコン１４からＯＳＤ制御部１５に指示される、続いて、Ｔ００９により図１に示す前記ＯＳＤ制御部１５により表示画面にオーバーラップ可能に処理されると共に、前記クロマＩＣ１６により前記受信映像と合成されて表示部１７に前記リモコン装置の電池残容量は「３／５」と表示され、Ｔ０１０により動作は終了する。
【実施例２】
【００２６】
続いて、本発明の第二実施例である自動車のドア施錠開錠用リモコン装置２１と自動車に搭載されたドア施錠開錠用電子装置３１について図６のブロック図により説明する。リモコン装置２１はボタン型で３ｖの電池２２を電源として前記電池２２の電圧を検出する電圧検出部２３があり、前記検出された電圧を段階的に区分された電圧値ごとに割り当てたコード値に変換するリモコン用マイコン２４と、前記自動車のドア施錠開錠用電子装置３１を遠隔操作するためのリモコン操作キー２５を配置した操作部２５と、前記変換されたコード値を前記電子装置３１に送信する送信部２６とを備えている。一方前記電子装置３１には前記送信部２６から送信されたコード値の信号を受信する受信部３３と、受信したコード値に相当する電池残容量の情報に変換する本体用マイコン３４と、前記電池残容量情報を前記自動車に備えられた図示しないハザードランプ（Ｈａｚａｒｄ  Ｌａｍｐ）の点滅により通知するためのハザード制御部３５と、ハザード点灯制御部３６と、自動車の車体右側に配置されたハザードランプの左側３７と、ハザードランプの右側３８と、これらを含む自動車の全てに電源を供給する電源部３２とで構成されている。
【００２７】
続いて、図７により説明する。前記リモコン装置２１にはリモコン操作キー２５のＫＥＹ  ＣＯＤＥとＫＥＹ  ＮＡＭＥが割り当てられており、前述のテレビ１１のリモコン装置１と同様に、ＫＥＹ  ＮＡＭＥの「ＤＯＯＲ  ＯＰＥＮ／ＣＬＯＳＥ」は前記リモコン操作キー５のＤＯＯＲ  ＯＰＥＮ／ＣＬＯＳＥキーに対応しており、前述の通りＤＯＯＲ  ＯＰＥＮ／ＣＬＯＳＥキーの１キーに対してＫＥＹ  ＣＯＤＥの０１から０５と複数のキーコードがアサインされている。このＫＥＹ  ＣＯＤＥの０１から０５が前記段階的に区分された電圧値ごとに対応するように構成している。さらに前記ＤＯＯＲ  ＯＰＥＮ／ＣＬＯＳＥのリモコン操作キー２５は、これを押下することで前記自動車ドアの施錠動作又は開錠動作をするための指示を行うリモコン操作キー２５を兼ねている。
【００２８】
次に図８により、前記ＫＥＹ  ＣＯＤＥの０１から０５が前記段階的に区分された電池の電圧値ごとに対応する内容と、自動車用リモコン装置２１における電池残容量の通知例について説明する。本実施例においては前記自動車ドアの開錠動作をするための指示を行うリモコン操作キー２５と連動して前記電池残容量の通知を行うように構成してある。まず、前記ＫＥＹ  ＣＯＤＥの０１から０５には、各々前記電池の電圧レベルにより「ＦＵＬＬ  ＣＨＡＲＧＥ」，「４／５ＣＨＡＲＧＥ」，「３／５ＣＨＡＲＧＥ」，「２／５ＣＨＡＲＧＥ」，「１／５ＣＨＡＲＧＥ」と段階的に区分され、前記リモコン装置１に供給されて前記電圧検出部３である前記リモコン用マイコン４の前記アナログ端子とデジタル端子で検出した電池電圧は前記区分された「ＦＵＬＬ  ＣＨＡＲＧＥ」は３．０ｖ以上で「ドアＯＰＥＮ」であり、「４／５ＣＨＡＲＧＥ」は３．０ｖ未満２．８ｖ以上でハザードの「左点滅３回」であり、「３／５ＣＨＡＲＧＥ」は２．８ｖ未満で２．６ｖ以上でハザードは「右点滅３回」、「２／５ＣＨＡＲＧＥ」は２．６ｖ未満２．４ｖ以上で「左右点滅３回」、「１／５ＣＨＡＲＧＥ」は２．４ｖ未満２．２ｖで「左右点灯５秒」と段階的に区分されている。２．２ｖ未満においては前記リモコン装置２１の電池残容量通知手段は動作しない。
【実施例３】
【００２９】
次に本発明の第三実施例における照明器具に備えられた調光用のリモコン装置について図９のブロック図を参照しながら以下に説明する。リモコン装置４１は１．５ｖの電池４２が２本直列に接続されて収納され３ｖを供給している。前記電池４２の電圧を検出する電圧検出部４３があり、前記検出された電圧を段階的に区分された電圧値ごとに割り当てたコード値に変換するリモコン用マイコン４４と、前記照明器具の調光用電子装置５１を遠隔操作するためのリモコン操作キー４５を配置した操作部４５と、前記変換されたコード値を前記電子装置５１に送信する送信部４６とを備えている。一方前記調光用電子装置５１には前記送信部４６から送信されたコード値の信号を受信する受信部５３と、受信したコード値に相当する電池残容量の情報に変換する本体用マイコン５４と、前記電池残容量情報を前記照明器具に備えられた調光用電子装置５１により照明器具の点滅により通知するためのランプ制御部５５と、ランプ点灯制御部５６と、照明器具の点灯部５７と、これらを含む前記照明器具の全てに電源を供給する電源部５２とで構成されている。
【００３０】
前記照明器具の調光用リモコン装置４１のＫＥＹ  ＣＯＤＥついて、図７により説明する。前記リモコン装置４１は照明器具を点灯したときに電池残容量を検出して通知するように構成されており、該リモコン装置４１にはリモコン操作キー４５のＫＥＹ  ＣＯＤＥとＫＥＹ  ＮＡＭＥが割り当てられており、前述のテレビ１１のリモコン装置１と同様に、ＫＥＹ  ＮＡＭＥの「ＬＩＧＨＴＩＮＧ  ＯＮ／ＯＦＦ」は前記リモコン操作キー４５のＬＩＧＨＴＩＮＧ  ＯＮ／ＯＦＦキーに対応しており、前述の通りＬＩＧＨＴＩＮＧ  ＯＮ／ＯＦＦキーの１キーに対してＫＥＹ  ＣＯＤＥの０１から０５と複数のキーコードがアサインされている。このＫＥＹ  ＣＯＤＥの０１から０５が前記段階的に区分された電圧値ごとに対応するように構成している。さらに前記ＬＩＧＨＴＩＮＧ  ＯＮ／ＯＦＦのリモコン操作キー４５は、これを押下することで前記照明器具の点灯や調光動作をするための指示を行うリモコン操作キー４５を兼ねている。
【００３１】
次に図８により、前記ＫＥＹ  ＣＯＤＥの０１から０５が前記段階的に区分された電池の電圧値ごとに対応する内容と、照明器具の調光用リモコン装置４１における電池残容量の通知例について説明する。まず、前記ＫＥＹ  ＣＯＤＥの０１から０５には、各々前記電池の電圧レベルにより「ＦＵＬＬ  ＣＨＡＲＧＥ」，「４／５ＣＨＡＲＧＥ」，「３／５ＣＨＡＲＧＥ」，「２／５ＣＨＡＲＧＥ」，「１／５ＣＨＡＲＧＥ」と段階的に区分され、前記リモコン装置１に供給されて前記電圧検出部３である前記リモコン用マイコン４の前記アナログ端子とデジタル端子で検出した電池電圧は前記区分された「ＦＵＬＬ  ＣＨＡＲＧＥ」は３．０ｖ以上で「照明点灯」であり、「４／５ＣＨＡＲＧＥ」は３．０ｖ未満２．８ｖ以上で「照明点灯後１回点滅」であり、「３／５ＣＨＡＲＧＥ」は２．８ｖ未満で２．６ｖ以上で「照明点灯後２回点滅」、「２／５ＣＨＡＲＧＥ」は２．６ｖ未満２．４ｖ以上で「照明点灯後３回点滅」、「１／５ＣＨＡＲＧＥ」は２．４ｖ未満２．２ｖで「照明点灯後４回点滅」と段階的に区分されている。２．２ｖ未満においては前記リモコン装置４１の電池残容量通知手段は動作しない。
【００３２】
以上のように本発明のリモコン装置1，２１，４１を備えた電子装置１１，３１，５１によれば、前記実施例のように前記電子装置はテレビ１１であり、或いは自動車ドアの施錠開錠を行う電子装置３１であり、照明器具の調光用電子装置５１などと幅広く利用できると共に産業用の装置類などにも広く応用することが可能である。前記テレビ１１のようにリモコン装置１で使用している電池２の残容量を数段階に区分し、区分された段階である前記残容量をリモコン装置１が電子装置１１側に送信し、該電子装置１１側の通知手段によって電池残容量の段階を確認することを可能とすると共に、前記残容量を検知して通知するタイミングは電子装置１１を使用する上でリモコン装置１を最初に操作する、または最後に操作するときに使用するリモコン操作キー５と兼用することにより、前記従来技術のように定期的に信号を送信することによる電池消耗を抑制し、電子装置１１を起動する若しくは停止するときに確実にユーザーに通知することが出来るので、現在、リモコン装置１の電池２はどのレベルの電池残容量であるのかをユーザーは簡単且つ確実に認識することが出来る。また、前記通知手段も、前記テレビ１１の表示部１７による文字表示や自動車のハザードランプの点滅表示、さらに照明器具の点滅表示などにより視認可能に通知することにより、ユーザーは前記リモコン装置１の電池２にはどのレベルの電池残容量が残っているのかを前記文字や符号、光の点灯、或いは色彩の変化などにより容易に認識することが出来る。また、前記可視可能な通知手段のほか、スピーカーなどにより音を発して通知することにより、電池残容量を音声やメロディ、警報音などにより認識することが出来る。また、前記電池残容量を検出して通知するタイミングは前記電子装置１１をリモコン装置１により最初に操作する、又は最後に操作するときであり、電子装置１１の起動や停止などをリモコン操作キー５で指示しているときなので、ユーザーは前記電子装置を注視しており前記通知手段による通知を見逃すことはなく、前記電子装置１１から通知される文字や符号、光の点灯、或いは色彩の変化などの表示内容、或いは音声やメロディ、警報音などといった音により前記電池残容量を確実に認識することが出来る。また、電池残容量の検出や通知は前記電子装置１１に起動や停止などをリモコン操作キー５で指示するときだけであり、従来例のように定期的に信号を送信することによる無駄な電池消耗を抑制し、電池寿命を延ばすことが出来る。
【００３３】
以上、本実施例を詳述したが、本発明は、前記実施例に限定されるものではなく、本発明の要旨の範囲内で種々の変形実施が可能である。例えば、電池の残容量を通知するリモコン装置１はテレビや自動車、照明器具などの民生用に限らず、前述のように産業用の装置類にも広く応用することが出来る。またリモコン装置１自体に電池残容量を通知する機能がなくても前記リモコン装置１が遠隔操作可能な電子装置側に音や光などで通知することが可能な状態であればよく、通知手段においても音や光、映像などに限らず振動して通知することも可能であり、また、リモコン装置１における電池電圧の段階的な区分数は５段階である必要はなく使い易さを配慮して前記段階的な区分数を変更するなど、前記実施例に限定されるものではなく、適宜選定すればよい。
【図面の簡単な説明】
【００３４】
【図１】本発明の第一実施例を示すテレビ用リモコン装置内部のブロック説明図である。
【図２】本発明の第一実施例におけるリモコン装置のキーコードとキー名の関係を示す説明図である。
【図３】本発明の第一実施例におけるリモコン装置の電池残容量区分と表示例を示す説明図である。
【図４】本発明の第一実施例におけるＰＯＷＥＲキー押下時のリモコン装置側動作を示すフロー説明図である。
【図５】本発明の第一実施例におけるＰＯＷＥＲキーコードを受信時のテレビ側におけるＰＯＷＥＲ  ＯＮ動作を示すフロー説明図である。
【図６】本発明の第二実施例を示す自動車用リモコン装置内部のブロック説明図である。
【図７】本発明の第二実施例におけるリモコン装置のキーコードとキー名の関係を示す説明図である。
【図８】本発明の第二実施例におけるリモコン装置の電池残容量区分と表示例を示す説明図である。
【図９】本発明の第三実施例を示す照明器具用リモコン装置内部のブロック説明図である。
【図１０】本発明の第三実施例におけるリモコン装置のキーコードとキー名の関係を示す説明図である。
【図１１】本発明の第三実施例におけるリモコン装置の電池残容量区分と表示例を示す説明図である。
【符号の説明】
【００３５】
１，２１，４１      リモコン装置
２，２２，４２      電池
３，２３，４３      電圧検出部
４，２４，４４      リモコン用マイコン
５，２５，４５      リモコン操作キー（操作部）
６，２６，４６      送信部
１１，３１，５１    電子装置（テレビ、自動車に搭載されたドア施錠開錠用電子装置、照明器具に備えられた調光用電子装置）
１２，３２，５２    電源（電源回路部、電源部）
１３，２３，５３    受信部
１４，３４，５４    本体用マイコン
１５                ＯＳＤ制御部
１６                クロマＩＣ
１７                表示部
【図１】
2006074694.tif 000003
【図２】
2006074694.tif 000004
【図３】
2006074694.tif 000005
【図４】
2006074694.tif 000006
【図５】
2006074694.tif 000007
【図６】
2006074694.tif 000008
【図７】
2006074694.tif 000009
【図８】
2006074694.tif 000010
【図９】
2006074694.tif 000011
【図１０】
2006074694.tif 000012
【図１１】
2006074694.tif 000013